(57)【要約】【課題】被制御機器の各種動作状態でリモコン装置の有効キーを簡単に見つけ易くする遠隔操作システムを提供する。【解決手段】リモコン装置は、キーが押下されたとき当該キーに対応する操作信号を例えばＤＶＤプレイヤに送信する操作信号送信手段と、当該キーに対応する操作信号に応答してＤＶＤプレイヤから送信された有効なキー群の情報を受信する有効キー群情報受信手段と、前記受信した有効なキー群の情報に基づいてタッチパネルに有効なキーのみを表示させる有効キー表示手段とを備えている。この構成によれば、ＤＶＤプレイヤの各種動作状態で、タッチパネルに有効なキーのみが表示されるので、リモコン装置の有効なキーが明確となり、操作に不慣れなユーザであっても、所望するキーを早く見つ付け出すことができ、ＤＶＤプレイヤをよりスムーズに操作できるようになる。【選択図】図１
2009049845.tif 000002
【特許請求の範囲】
【請求項１】
タッチパネルに複数のキーを有するリモートコントローラ装置と、このリモートコントローラ装置により遠隔操作される被制御機器とから構成される遠隔操作システムであって、
前記リモートコントローラ装置は、キーが押下されたとき当該キーに対応する操作信号を前記被制御機器に送信する操作信号送信手段と、当該キーに対応する操作信号に応答して前記被制御機器から送信された有効なキー群の情報を受信する有効キー群情報受信手段と、前記受信した有効なキー群の情報に基づいて前記タッチパネルに有効なキーのみを表示させる有効キー表示手段とを備えたことを特徴とする遠隔操作システム。
【請求項２】
前記被制御機器は、各動作状態に対応する有効なキー群の情報を格納したテーブルを備えると共に、前記リモートコントローラ装置からの操作信号に応答して行われる動作の状態を判定する動作状態判定手段と、その動作状態に対応する有効なキー群の情報をテーブルから読み出して、有効なキー群の情報を前記リモートコントローラ装置に送信する有効キー群情報送信手段とを備えたことを特徴とする請求項１に記載の遠隔操作システム。
【請求項３】
前記リモートコントローラ装置は、操作信号を送信したとき、前記被制御機器からの応答が無いことを示すタイムアウトを判別するためのタイマを起動させるタイマ起動手段と、前記操作信号を送信してから所定時間の経過により前記タイムアウトが発生したとき、前記タッチパネルに全キーを表示させる全キー表示手段とを備えたことを特徴とする請求項１に記載の遠隔操作システム。
【請求項４】
前記リモートコントローラ装置は、前記タッチパネルにキーが表示された後、所定時間経過したときに、前記タッチパネルの表示をオフさせるタッチパネル表示オフ手段を備えたことを特徴とする請求項１に記載の遠隔操作システム。
【発明の詳細な説明】
【技術分野】
【０００１】
本発明は、タッチパネルに複数のキーを有するリモートコントローラ装置と、このリモートコントローラ装置により遠隔操作される被制御機器とから構成される遠隔操作システムに関し、特に、リモートコントローラ装置の有効キーの表示に関する。
【背景技術】
【０００２】
光ディスクであるＤＶＤに記録された情報を再生するＤＶＤプレイヤ、あるいはＤＶＤに対して情報の記録／再生を行うＤＶＤレコーダ、あるいはテレビジョン受像機などのようなリモートコントローラ装置の操作対象である被制御機器は、それぞれの付属のリモートコントローラ装置により遠隔操作することができるように構成されている。そして、機能が多い被制御機器ほど、リモートコントローラ装置の操作キーが多くなるが、これらのリモートコントローラ装置を共通化して、１個のリモートコントローラ装置で複数の被制御機器を操作できるようにしているものもある。
【特許文献１】特開２００５−１３６５１８号公報
【特許文献２】特開２０００−１５２３５３号公報
【発明の開示】
【発明が解決しようとする課題】
【０００３】
しかしながら、何れにしてもリモートコントローラ装置のキーの個数が多くなると、操作に不慣れなユーザは、所望のキーを見つけるのに時間がかかり、被制御機器をスムーズに操作できないと言う課題があった。
【０００４】
そこで、特許文献１に記載の遠隔操作システムでは、タッチパネルを備えたリモートコントローラを設け、そのタッチパネルの表示内容を変更でき、表示内容とタッチパネルに対する操作とに対応した信号を前記リモートコントローラから送出することで、被制御機器（制御対象機器）が遠隔操作されるように構成されている。例えば、被制御機器がＤＶＤプレイヤであった場合、リモートコントローラは、ＤＶＤプレイヤからディスク装填無しを示す信号を受信すると、タッチパネル上に「再生」「録画」のボタンの表示は行わず、また、再生専用のディスクが装填されているとの信号を受信すると、「録画」のボタンの表示は行わないと言うことが開示されている。
【０００５】
しかしながら、この従来の遠隔操作システムでは、被制御機器（制御対象機器）の動作状態に応じて有効なキーのみをリモートコントローラのタッチパネルに表示させるようにしたものではないので、被制御機器（制御対象機器）の動作状態において、操作に不慣れなユーザは、所望のキーを見つけるのに時間がかかり、被制御機器をスムーズに操作できないと言う課題があった。
【０００６】
なお、特許文献２の従来技術では、リモートコマンダーは、種々のモードに設定でき、各モードに応じてキー配列を変えるようにし、これにより、キー配列の簡素化が図れ、キーの操作間違いを少なくできるようにしているが、キーの配列が変わると、ユーザはキーの位置が覚え難いと言う課題が生じると共に、被制御機器の動作状態に応じて有効なキーのみをリモートコントローラ装置のタッチパネルに表示させるようにしたものではないので、被制御機器の動作状態において、操作に不慣れなユーザは、所望のキーを見つけるのに時間がかかり、被制御機器をスムーズに操作できないと言う課題があった。
【０００７】
本発明は、上記のような課題を解決するためになされたもので、被制御機器の各種動作状態でリモートコントローラ装置の有効キーを簡単に見つけ易くする遠隔操作システムを提供することを目的とする。
【課題を解決するための手段】
【０００８】
上記目的を達成するために、請求項１の発明は、タッチパネルに複数のキーを有するリモートコントローラ装置と、このリモートコントローラ装置により遠隔操作される被制御機器とから構成される遠隔操作システムであって、前記リモートコントローラ装置は、キーが押下されたとき当該キーに対応する操作信号を前記被制御機器に送信する操作信号送信手段と、当該キーに対応する操作信号に応答して前記被制御機器から送信された有効なキー群の情報を受信する有効キー群情報受信手段と、前記受信した有効なキー群の情報に基づいて前記タッチパネルに有効なキーのみを表示させる有効キー表示手段とを備えたことを特徴とする遠隔操作システムを提供する。
【０００９】
この構成において、リモートコントローラ装置のキーが押下されたとき当該キーに対応する操作信号が被制御機器に送信され、当該キーに対応する操作信号に応答して被制御機器から送信された有効なキー群の情報が受信されると、受信した有効なキー群の情報に基づいてタッチパネルに有効なキーのみが表示される。
【００１０】
この構成によれば、被制御機器の各種動作状態で、タッチパネルに有効なキーのみが表示されるので、リモートコントローラの有効なキーが明確となり、操作に不慣れなユーザであっても、所望するキーを早く見つ付け出すことができ、被制御機器をよりスムーズに操作できるようになる。
【００１１】
請求項２の発明では、請求項１の発明において、前記被制御機器は、各動作状態に対応する有効なキー群の情報を格納したテーブルを備えると共に、前記リモートコントローラ装置からの操作信号に応答して行われる動作の状態を判定する動作状態判定手段と、その動作状態に対応する有効なキー群の情報をテーブルから読み出して、有効なキー群の情報を前記リモートコントローラ装置に送信する有効キー群情報送信手段とを備えたことを特徴とする。
【００１２】
したがって、前記被制御機器は、リモートコントローラ装置からの操作信号に応答して、本機器の動作の状態を判定し、動作状態に対応する有効なキー群の情報をテーブルから読み出して、有効なキー群の情報をリモートコントローラ装置に送信するので、リモートコントローラ装置では、有効なキー群の情報を得ることができ、有効なキーのみをタッチパネルに表示させることができる。
【００１３】
請求項３の発明では、請求項１の発明において、前記リモートコントローラ装置は、操作信号を送信したとき、前記被制御機器からの応答が無いことを示すタイムアウトを判別するためのタイマを起動させるタイマ起動手段と、前記操作信号を送信してから所定時間の経過により前記タイムアウトが発生したとき、前記タッチパネルに全キーを表示させる全キー表示手段とを備えたことを特徴とする。
【００１４】
したがって、前記リモートコントローラ装置は、操作信号を送信したとき、被制御機器からの応答が無いことを示すタイムアウトを判別するためのタイマを起動させ、前記操作信号を送信してから所定時間の経過により前記タイムアウトが発生したとき、前記タッチパネルに全キーを表示させるので、操作信号を送信しても、被制御機器からの応答が無くタイムアウトになれば、タッチパネルに全キーを表示でき、これにより、ユーザは、再度、キー操作をやり直す必要があることが分かる。
【００１５】
請求項４の発明では、請求項１の発明において、前記リモートコントローラ装置は、タッチパネルにキーが表示された後、所定時間経過したときに、前記タッチパネルの表示をオフさせるタッチパネル表示オフ手段を備えたことを特徴とする。
【００１６】
したがって、前記リモートコントローラ装置は、タッチパネルにキーが表示された後、所定時間経過したときに、前記タッチパネルの表示をオフさせるので、消費電力を削減することができる。
【発明の効果】
【００１７】
以上のように本発明によれば、被制御機器の各種動作状態で、タッチパネルに有効なキーのみが表示されるので、リモートコントローラ装置の有効なキーが明確となり、操作に不慣れなユーザであっても、所望するキーを早く見つ付け出すことができ、被制御機器をよりスムーズに操作できるようになる。
【発明を実施するための最良の形態】
【００１８】
以下、添付図面を参照しつつ、本発明の実施の形態について説明する。図１は本発明の一実施形態に係る遠隔操作システムの構成を示すブロック図である。ここでは、リモートコントローラ装置（以下リモコン装置と言う）により制御される被制御機器としてＤＶＤプレイヤについて説明するが、これに限らず、ＤＶＤレコーダ、ＢＤレコーダ、ハードディスクレコーダ、テレビジョン受像機、オーディオ機器などに対するリモコン装置についても同様な手段を備えれば、同様な効果が得られる。
【００１９】
図１において、この遠隔操作システムは、タッチパネルに複数のキーを有するリモコン装置１と、このリモコン装置１により遠隔操作されるＤＶＤプレイヤ２とから構成される。
【００２０】
リモコン装置１は、タッチパネル１１、送信部１４、受信部１５、タイマ１６、および制御部１７を備えている。タッチパネル１１は、例えば液晶パネルから成り、制御部１７からの表示制御信号に基づいてキー（操作ボタンの絵柄）を表示する表示部１２と、この表示部１２上に配置された透明シートから成り、この透明シート上での接触位置情報を制御部１７に出力する接触位置判定部１３とを備えている。
【００２１】
送信部１４は、タッチパネル１１の表示部１２に表示されたキーが押下されたとき（ユーザの指が接触したとき）、当該キーの接触位置を判定する接触位置判定部１３に判定された当該キーの接触位置に対応する操作信号（赤外線による操作信号または微弱電波による操作信号）をＤＶＤプレイヤ２に送信する操作信号送信手段である。受信部１５は、当該キーに対応する操作信号に応答してＤＶＤプレイヤ２から送信された有効なキー群の情報を受信する有効キー群情報受信手段である。
【００２２】
制御部１７は、リモコン装置１の各構成要素を制御するものであり、特に、本実施形態では、送信部１４が操作信号を送信したとき、ＤＶＤプレイヤ２からの応答が無いことを示すタイムアウトを判別するためのタイマ１６を起動させるタイマ起動手段と、前記操作信号を送信してから所定時間の経過により前記タイムアウトが発生したとき、タッチパネル１１の表示部１２に全キーを表示させる全キー表示手段と、タッチパネル１１の表示部１２にキーが表示された後、所定時間経過したときに、タッチパネル１１の表示部１２の表示をオフさせるタッチパネル表示オフ手段と、前記受信した有効なキー群の情報に基づいてタッチパネル１１の表示部１２に有効なキーのみを表示させる有効キー表示手段とを備えている。
【００２３】
ＤＶＤプレイヤ２は、制御部２１、受信部２２、送信部２３、再生部２４、テーブル２５、およびＤＶＤ２６を備えている。再生部２４は、制御部２１からの制御信号に従って、ＤＶＤ２６からの情報を再生し、例えば、テレビジョン受像機に送信し、テレビジョン受像機に再生映像および再生音声を出力させる。
【００２４】
制御部２１は、プレイヤの各構成要素を制御するものであり、本実施形態では、リモコン１からの操作信号に応答して行われる動作の状態を判定する動作状態判定手段と、その動作状態に対応する有効なキー群の情報をテーブル２５（図示しないメモリに格納されたもの）から読み出して、有効なキー群の情報をリモコン１に送信する有効キー群情報送信手段とを備えている。
【００２５】
受信部２２は、リモコン装置１からの操作信号（赤外線による操作信号または微弱電波による操作信号）を受信するものである。送信部２３は、各動作状態に対応する有効なキー群の情報を格納したテーブル２５と、リモコン装置１からの操作信号に応答して行われる動作の状態を判定し、この動作状態に対応する有効なキー群の情報をテーブル２５から読み出して、有効なキー群の情報をリモコン装置１に送信する有効キー群情報送信手段である。
【００２６】
再生部２４は、制御部２１からの制御信号に従って再生動作を行い、ＤＶＤ２６に記録された情報を再生して映像音声信号として例えばテレビジョン受像機に出力するものである。
【００２７】
図２は本実施形態においてリモコン装置のＰｏｗｅｒキー（電源キー）を押下した後の状態（状態Ａと呼ぶ）でのリモコン装置におけるタッチパネルの表示部の一例を示す図である。
【００２８】
図２において、タッチパネルの表示部１２には、Ｐｏｗｅｒキー１０１、Ｅｊｅｃｔキー１０２、数字キー１０３、早戻しキー１０４、再生キー１０５、早送りキー１０６、スキップダウンキー１０７、停止キー１０８．およびスキップアップキー１０９が表示されている。この図２によると、Ｐｏｗｅｒキー１０１が押下された後は、全てのキーが選択できるように、全キーが表示部１２に表示される。
【００２９】
図３は本実施形態においてリモコン装置の再生キーを押下した後の状態（状態Ｂと呼ぶ）でのリモコン装置におけるタッチパネルの表示部の一例を示す図である。
【００３０】
図３において、タッチパネルの表示部１２には、Ｐｏｗｅｒキー１０１、Ｅｊｅｃｔキー１０２、早戻しキー１０４、早送りキー１０６、スキップダウンキー１０７、停止キー１０８．およびスキップアップキー１０９が表示されている。図３によると、図２に示す再生キー１０５が押下された後は、図２に示す数字キー１０３と再生キー１０５の表示が消去されている。これにより、ＤＶＤプレイヤ２が再生中は、ユーザが操作できるキーは、Ｐｏｗｅｒキー１０１、Ｅｊｅｃｔキー１０２、早戻しキー１０４、早送りキー１０６、スキップダウンキー１０７、停止キー１０８．およびスキップアップキー１０９であること分かり、ユーザは所望のキーを見つけ易くなる。
【００３１】
図４は本実施形態においてＤＶＤプレイヤの動作状態とリモコン装置の有効なキー群との関係を示すテーブルの内容の一例を示す図である。
【００３２】
図４において、テーブル２５には、ＤＶＤプレイヤ２の動作状態が電源オフであれば、リモコン装置１の有効なキー群がＰｏｗｅｒキー１０１とＥｊｅｃｔキー１０２であることを示している。この電源オフ状態での有効なキー群のキー情報は、リモコン装置のタッチパネルの初期画面として利用される。
【００３３】
ＤＶＤプレイヤ２の動作状態が電源オンであれば、リモコン装置１の有効なキー群が、Ｐｏｗｅｒキー１０１、Ｅｊｅｃｔキー１０２、数字キー１０３、早戻しキー１０４、再生キー１０５、早送りキー１０６、スキップダウンキー１０７、停止キー１０８．およびスキップアップキー１０９であることを示している。ＤＶＤプレイヤ２の動作状態が再生中であれば、リモコン装置１の有効なキー群が、Ｐｏｗｅｒキー１０１、Ｅｊｅｃｔキー１０２、早戻しキー１０４、早送りキー１０６、スキップダウンキー１０７、停止キー１０８．およびスキップアップキー１０９であることを示している。なお、テーブル２５における有効なキー群のキーの情報には、キーの種類を識別するため、各キー毎にキー識別番号が付されている。したがって、キー識別番号が分かれば、有効なキーがどのようなキーであるかが分かる。
【００３４】
図５は本実施形態においてリモコン装置のキーが押下されたときのリモコン装置の動作を説明するためのフローチャートである。このフローチャートおよび図１〜図４を参照してリモコン装置のキーが押下されたときのリモコン装置の動作について説明する。
【００３５】
先ず、ＤＶＤプレイヤ２が電源オフ状態になっている場合は、リモコン装置１の有効キーは、Ｐｏｗｅｒキー１０１とＥｊｅｃｔキー１０２であるので、テーブル２５の内容に従って、タッチパネル１１の表示部１２には、初期画面としてＰｏｗｅｒキー１０１とＥｊｅｃｔキー１０２が表示されている。なお、ＤＶＤプレイヤ２の電源オフ状態とは、主電源がオフであり、待機電源がオンされている状態を示し、ＤＶＤプレイヤ２の制御部２１は、主電源がオフされているときは待機電源で動作しているので、リモコン装置１からの操作信号を受信して電源オン動作することが可能となっている。
【００３６】
ここで、ユーザはＤＶＤプレイヤ２の電源（主電源）を入れるため、リモコン装置１におけるタッチパネル１１の表示部１２に表示されたＰｏｗｅｒキー１０１を押下すると、制御部１７は、タッチパネル１１の接触位置判定部１３により判定されたキー接触位置信号によりＰｏｗｅｒキー１０１が押下されたことを検知し（ステップＳ１）、これにより、送信部１４は、Ｐｏｗｅｒキー１０１に対応する操作信号である電源オン操作信号をＤＶＤプレイヤ２に送信する（ステップＳ２）。
【００３７】
前記電源オン操作信号が送信されたとき、制御部１７のタイマ起動手段は、ＤＶＤレコーダ２からの応答が無いことを示すタイムアウト判別用のタイマ１６を起動させる（ステップＳ３）。そして、タイマ１６が計時動作を開始し、前記電源オン操作信号を送信してから所定時間の経過により、タイマ１６からのタイムアウト信号が発生すると、制御部１７の全キー表示手段は、タイムアウトが発生したことを検知し（ステップＳ４）、タッチパネル１１の表示部１２に全キーを表示させる（ステップＳ１１）。全キー表示手段は、例えば、図２に示すように全キーをタッチパネル１１の表示部１２に表示させる。
【００３８】
一方、タイムアウトが発生しない間に、制御部１７の有効キー群情報受信手段が、ＤＶＤレコーダ２から有効なキー群の情報を受信すると、制御部１７の有効キー表示手段は、前記受信した有効なキー群の情報に基づいてタッチパネル１１の表示部１２に有効なキーのみを表示させる（ステップＳ６）。この場合、タッチパネル１１の表示部１２に表示される有効なキーは、ＤＶＤプレイヤ２が電源オンされていて操作待ちのことを示す動作状態であるので、有効なキーは全キーになり、例えば、図２に示すように全キーが表示されることになる。なお、ＤＶＤレコーダ２が行う有効なキー群の情報の送信については、後述する図６のフローチャートを参照して説明する。
【００３９】
制御部１７のタッチパネル表示オフ手段は、タッチパネル１１の表示部１２にキーが表示された後、図示しないタイマにより計時されている時間が所定時間を経過したことを検知すると（ステップＳ７）、タッチパネル１１の表示部１２の表示をオフさせる（ステップＳ１０）。その所定時間が経過するまでに、制御部１７は、タッチパネル１１が振れられたことを接触位置判定部１３からの何らかの信号により検知すると（ステップＳ８）、タッチパネル１１の表示部１２の表示を維持する（ステップＳ９）。そして、ステップＳ７に戻り同様な動作が行われる。
【００４０】
次に、ユーザは、ＤＶＤプレイヤ２を再生動作させるため、リモコン装置１におけるタッチパネル１１の表示部１２に表示された再生キー１０５を押下すると、制御部１７は、タッチパネル１１の接触位置判定部１３により判定されたキー接触位置信号により再生キー１０５が押下されたことを検知し（ステップＳ１）、これにより、送信部１４は、再生キー１０５に対応する操作信号である再生操作信号をＤＶＤプレイヤ２に送信する（ステップＳ２）。
【００４１】
前記再生操作信号が送信されたとき、制御部１７のタイマ起動手段は、所定時間待ってもＤＶＤレコーダ２からの応答が無いことを示すタイムアウト判別用のタイマ１６を起動させる（ステップＳ３）。そして、タイマ１６が計時動作を開始し、前記再生操作信号を送信してから所定時間の経過により、タイマ１６からのタイムアウト信号が発生すると、制御部１７の全キー表示手段は、タイムアウトが発生したことを検知し（ステップＳ４）、タッチパネル１１の表示部１２に全キーを表示させる（ステップＳ１１）。全キー表示手段は、例えば、図２に示すように全キーをタッチパネル１１の表示部１２に表示させる。
【００４２】
このように、リモコン装置１は、操作信号を送信したとき、ＤＶＤプレイヤ２からの応答が無いことを示すタイムアウトを判別するためのタイマ２５を起動させ、前記操作信号を送信してから所定時間の経過により前記タイムアウトが発生したとき、タッチパネル１１の表示部１２に全キーを表示させるので、操作信号を送信しても、ＤＶＤプレイヤ２からの応答が無くタイムアウトになれば、タッチパネル１１の表示部１２に全キーを表示でき、これにより、ユーザは、再度、キー操作をやり直す必要があることが分かる。
【００４３】
一方、タイムアウトが発生しない間に、制御部１７の有効キー群情報受信手段が、ＤＶＤレコーダ２から有効なキー群の情報を受信すると、制御部１７の有効キー表示手段は、前記受信した有効なキー群の情報に基づいてタッチパネル１１の表示部１２に有効なキーのみを表示させる（ステップＳ６）。この場合、タッチパネル１１の表示部１２に表示される有効なキーは、ＤＶＤプレイヤ２が再生動作中を示す動作状態であるので、表示される有効なキーは、例えば、図３に示すようになる。
【００４４】
その後は、前述したよに、制御部１７のタッチパネル表示オフ手段は、タッチパネル１１の表示部１２にキーが表示された後、図示しないタイマにより計時されている時間が所定時間を経過したことを検知すると（ステップＳ７）、タッチパネル１１の表示部１２の表示をオフさせる（ステップＳ１０）。これにより、消費電力を削減できる。その所定時間が経過するまでに、制御部１７は、タッチパネル１１が振れられたことを接触位置判定部１３からの何らかの信号により検知すると（ステップＳ８）、タッチパネル１１の表示部１２の表示を維持する（ステップＳ９）。そして、ステップＳ７に戻り同様な動作が行われる。
【００４５】
図６は本実施形態においてＤＶＤプレイヤがリモコン装置からの操作信号を受信してから有効なキー群の情報を送信するまでの動作を説明するためのフローチャートである。このフローチャートおよび図１〜図５を参照してＤＶＤプレイヤがリモコン装置からの操作信号を受信してから有効なキー群の情報を送信するまでの動作について説明する。
【００４６】
ＤＶＤプレイヤ２は、リモコン装置１からの操作信号を受信部２２で受信すると、ＤＶＤプレイヤ２の制御部２１は、操作信号を受信したことを検知し（ステップＮ１）、これにより、制御部２１の動作状態判定手段は、ＤＶＤプレイヤ２の動作状態を判定する（ステップＮ２）。例えば、前述したように、ＤＶＤプレイヤ２が再生動作中であれば、再生中を示す動作状態であると判定される。
【００４７】
そして、制御部２１の有効キー群情報送信手段は、再生中を示す動作状態に対応する有効なキー群（Ｐ０ｗｅｒキー、Ｅｊｅｃｔキー、早戻しキー、早送りキー、スキップダウンキー、停止キー、スキップアップキー）の情報をテーブル２５から読み出して（ステップＮ３）、有効なキー群の情報を送信部２３から送信する（ステップＮ４）。
【００４８】
リモコン装置１は、ＤＶＤプレイヤ２からの有効なキー群の情報を受信部１５で受信し、前述した図５のステップＳ５以下の処理を行う。
【００４９】
以上説明したように本実施形態によれば、ＤＶＤプレイヤ２の各種動作状態で、タッチパネル１１の表示部１２に有効なキーのみが表示されるので、リモコン装置１の有効なキーが明確となり、操作に不慣れなユーザであっても、所望するキーを早く見つ付け出すことができ、ＤＶＤプレイヤ２をよりスムーズに操作できるようになる。
【産業上の利用可能性】
【００５０】
本発明は、ＤＶＤプレイヤ、ＤＶＤレコーダ、ＢＤレコーダ、ハードディスクレコーダ、テレビジョン受像機、オーディオ機器などの被制御機器に対するリモコン装置に利用可能であり、被制御機器の各種動作状態で、有効なキーのみをリモコン装置のタッチパネルに表示させることができる。
【図面の簡単な説明】
【００５１】
【図１】本発明の一実施形態に係る遠隔操作システムの構成を示すブロック図である。
【図２】前記実施形態においてリモコン装置のＰｏｗｅｒキー（電源キー）を押下した後の状態（状態Ａと呼ぶ）でのリモコン装置におけるタッチパネルの表示部の一例を示す図である。
【図３】前記実施形態においてリモコン装置の再生キーを押下した後の状態（状態Ｂと呼ぶ）でのリモコン装置におけるタッチパネルの表示部の一例を示す図である。
【図４】前記実施形態においてＤＶＤプレイヤの動作状態とリモコン装置の有効なキー群との関係を示すテーブルの内容の一例を示す図である。
【図５】前記実施形態においてリモコン装置のキーが押下されたときのリモコン装置の動作を説明するためのフローチャートである。
【図６】前記実施形態においてリモコン装置のキーが押下されたときのリモコン装置の動作を説明するためのフローチャートである。
【符号の説明】
【００５２】
１    リモコン装置
２    ＤＶＤプレイヤ（被制御機器）
１４    送信部（操作信号送信手段）
１５    受信部（有効キー群情報受信手段）
１６    タイマ
１７    制御部（有効キー表示手段、タイマ起動手段、全キー表示手段、タッチパネル表示オフ手段）
２１    制御部（有効キー群情報送信手段）
２５    テーブル
【図１】
2009049845.tif 000003
【図２】
2009049845.tif 000004
【図３】
2009049845.tif 000005
【図４】
2009049845.tif 000006
【図５】
2009049845.tif 000007
【図６】
2009049845.tif 000008